(57)【要約】【課題】ＩＣカード内部に搭載されるＣＰＵ等の制御回路が誤動作した場合、特に、不正なアクセスによる制御回路の異常動作が発生した場合には、音を出力することができず、所有者に警告を促すことができなくなるという問題があった。【解決手段】音出力部は、アンテナが受信する高周波信号を２値化し、分周されたディジタル信号によって音出力素子を駆動することで音を出力し、上記音出力部は信号処理回路からの制御を受けないことで、所有者に非接触電子装置がアクセスされていることを伝達する。【選択図】図１
2006309368.tif 000002
【特許請求の範囲】
【請求項１】
アンテナを搭載する非接触電子装置であって、
上記非接触電子装置は、電源生成部、データ送受信部、信号処理部、メモリ部、音出力部を具備し、
上記音出力部は、
上記アンテナが受信する高周波信号を２値化するクロック抽出部と、
上記クロック抽出部が出力するクロック信号を分周するクロック分周部と、
上記クロック分周部が出力するディジタル信号によって音出力素子を駆動する音出力素子駆動部を具備し、
上記アンテナが高周波信号を受信して上記電源生成部が電源電圧を生成した場合に音の出力を開始することを特徴とする非接触電子装置。
【請求項２】
アンテナを搭載する非接触電子装置であって、
上記非接触電子装置は、電源生成部、データ送受信部、信号処理部、メモリ部、音出力部を具備し、
上記音出力部は、
電源電圧が供給されることで発振動作を開始しクロックを出力するクロック生成部と、
上記クロック生成部が出力するクロック信号を分周するクロック分周部と、
上記クロック分周部が出力するディジタル信号によって音出力素子を駆動する音出力素子駆動部を具備し、
上記音出力部は上記信号処理部からの制御を受けずに動作を開始し、
上記アンテナが高周波信号を受信して上記電源生成部が電源電圧を生成した場合に音の出力を開始することを特徴とする非接触電子装置。
【請求項３】
上記音出力部は上記信号処理部からの制御を受けずに動作を開始することを特徴とする請求項１記載の非接触電子装置。
【発明の詳細な説明】
【技術分野】
【０００１】
本発明は、外部装置とアンテナを介して情報の交換を行う非接触電子装置に係り、特に、外部装置からのアクセスの有無を外部へ伝達する手段を備えた非接触電子装置に好適な技術に関する。
【背景技術】
【０００２】
カード内に半導体集積回路装置及びアンテナを搭載したいわゆる非接触電子装置は、外部装置と半導体集積回路装置との間で情報の交換を行い、非接触電子装置が保持しているデータの送信、外部装置から送信されたデータの保持など様々な機能を実現する。
近年、上記非接触電子装置の高機能化への要求が高まりつつあり、使用者の個人情報等を処理し、メモリに保持することが多くなってきている。
【０００３】
こうした個人情報の漏洩防止のため、ＩＣカード内部に記録されている情報をもとに、制御部が信号処理を行い、所定の条件を満たした場合に音を出力することで、使用者に警告を促すことを可能にする技術がある（特許文献１参照）。
又、不正な情報の読み出し等のアクセスがなされた場合、ＩＣカードが不正使用検知処理フローに従ってＣＰＵが判断し、不正使用であることが確認された場合に、音声または音を出力することで、使用者に警告を促すことを可能にする技術もある（特許文献２参照）。
【０００４】
【特許文献１】特開平５−１２８３２６号公報
【０００５】
【特許文献２】特開２００３−１８７２０５号公報
【発明の開示】
【発明が解決しようとする課題】
【０００６】
上記従来技術では、ＩＣカード内部に搭載されたＣＰＵ等の信号処理回路が正常に動作する条件では、動作フローに従って音を出力することができ、使用者に警告を促すことができる。
非接触電子装置は、非接触電子装置内部に搭載されるアンテナを介して、外部装置と情報伝達を行う。このため、非接触電子装置が有している情報伝達手段を利用し、非接触電子装置の所有者に気付かれずに、第三者が外部装置を介して非接触電子装置にアクセスすることは不可能ではない。
【０００７】
このように、非接触電子装置の所有者の意思に関わらず、第三者がアクセスした場合、非接触電子装置にアクセスされていることを所有者に警告を促す必要がある。
しかし、従来技術では、上記ＣＰＵ等が正常に動作していることが条件となるため、第三者が非接触電子装置に誤動作を発生させた場合、音を出力することができず、所有者に警告を促すことができない。また、従来技術では、予め想定した不正アクセスに対して、所有者に警告を促すように設定されるため、想定しなかった不正アクセスが発生した場合に所有者に警告を促すことはできない。
【０００８】
以上のように、想定以外の不正アクセスが発生した場合やＩＣカード内部に搭載されるＣＰＵ等の制御回路が誤動作した場合、特に、不正なアクセスによる制御回路の異常動作が発生した場合には、音を出力することができず、所有者に警告を促すことができなくなるという問題があった。
本発明の目的は、非接触電子装置に搭載される機能の動作に関わらず、非接触電子装置が外部装置からアクセスされていることを、音を出力することで所有者へ伝達する手段を提供することにある。
【課題を解決するための手段】
【０００９】
本願において開示される発明のうち代表的なものの概要を簡単に説明すれば、下記の通りである。すなわち、アンテナを搭載する非接触電子装置であって、上記非接触電子装置は、電源生成部、データ送受信部、信号処理部、メモリ部、音出力部を具備し、上記音出力部は、上記アンテナが受信する高周波信号を２値化するクロック抽出部と、上記クロック抽出部が出力するクロック信号を分周するクロック分周部と、上記クロック分周部が出力するディジタル信号によって音出力素子を駆動する音出力素子駆動部を具備し、上記音出力部は上記アンテナが高周波信号を受信して上記電源生成部が電源電圧を生成した場合に音の出力を開始する非接触電子装置。
【発明の効果】
【００１０】
本願において開示される発明のうち代表的なものによって得られる効果を簡単に説明すれば、下記の通りである。すなわち、非接触電子装置内部に搭載される信号処理部が誤動作しても音を出力することができ、非接触電子装置の所有者に、非接触電子装置がアクセスされていることを伝達することが可能になる。
【発明を実施するための最良の形態】
【００１１】
以下、本発明に係る非接触電子装置について、添付図面を参照しながら説明する。
【実施例１】
【００１２】
図１は、本発明の非接触電子装置の第１の実施例を示す基本構成のブロック図である。図１において、Ｕ１は非接触電子装置、Ｌ１は非接触電子装置Ｕ１に搭載されるアンテナである。アンテナＬ１と並列に接続された容量Ｃ１は、アンテナＬ１と共に共振回路を構成する。外部装置からの電磁波を受けたアンテナＬ１は、高周波の交流信号を内部回路に出力する。この交流信号は、部分的に情報信号（データ）によって変調される。
【００１３】
アンテナＬ１の両端には、電源生成部Ｕ２、送受信部Ｕ３、音出力部Ｕ６が接続される。電源生成部Ｕ２は内部回路が動作するための電源電圧を生成する。基本的には、電源生成部Ｕ２は整流回路や平滑容量から構成されるが、電源生成部Ｕ２が出力する電源電圧が所定の電圧レベルを超えないように制御する電圧レギュレータ回路を設けても良い。送受信部Ｕ３は、アンテナＬ１が受信した高周波の交流信号に重畳された情報信号を復調し、ディジタルの情報信号として信号処理部Ｕ４に伝達する。信号処理部Ｕ４は、送受信部Ｕ３から出力された情報信号に従って、信号処理を行う。また、送受信部Ｕ３は、アンテナＬ１が受信している交流信号を変調することによって、信号処理部Ｕ４の信号処理結果等を外部装置に伝達する。メモリ部Ｕ６は、信号処理部Ｕ４の信号処理結果の記録等に利用される。音出力部Ｕ６は、非接触電子装置へのアクセスがあった場合に音を出力する。本願においては、音声出力部が直接アンテナに接続され、非接触電子装置内部に搭載される信号処理部Ｕ４の動作から独立して、音の出力を開始することに特徴がある。
【００１４】
本発明は、典型的には外部と入出力端子をカードの表面に持たない非接触電子装置、いわゆる非接触型ＩＣカードに適用される。勿論、非接触インターフェースと入出力のための端子を持つデュアルタイプＩＣカードに用いても良い。
【００１５】
図２は、本発明の非接触電子装置に搭載される音出力部Ｕ６の第１の実施例である。入力端子Ｐ１には非接触電子装置に搭載されるアンテナＬ１の片側の端子が接続される。クロック抽出部Ｕ７は、入力端子Ｐ１に入力される交流信号を２値化することで、交流信号と同じ周波数のクロック信号を生成する。上記クロック抽出部Ｕ７は、インバータ回路等を利用することで構成することができる。クロック分周部Ｕ８は、クロック抽出部Ｕ７が出力するクロック信号を分周し、音出力素子駆動部Ｕ９に伝達する。音出力素子駆動部Ｕ９は、クロック分周部Ｕ８が出力するクロック信号を、音出力素子Ｕ１０に供給し、音出力素子Ｕ１０が音を外部に出力する。特に限定されないが、音出力素子Ｕ１０は圧電効果を有するプラスチック等で構成される。
【００１６】
図１及び図２に示されるように、本発明の音出力部Ｕ６はアンテナＬ１に直接接続され、アンテナＬ１が受信した高周波信号が、音出力部Ｕ６を構成するクロック抽出回路に入力される。このとき、音出力部U6は、非接触電子装置Ｕ１に搭載される信号処理部Ｕ４等から制御されることはない。つまり、アンテナＬ１が交流信号を受信し、電源生成部Ｕ２が電源電圧を出力すれば、音の出力が開始される。これは、信号処理部Ｕ４の動作状態とは独立して、音を出力することが可能になることを表している。
【００１７】
したがって、非接触電子装置の所有者が意図的にリーダとの送受信を行う際にはもちろん、第三者が不正に非接触電子装置にアクセスし、非接触電子装置内部の信号処理部Ｕ４を誤動作させた場合においても、音を出力することが可能になる。これにより、非接触電子装置の所有者に警告を促すことができる。
【００１８】
又、本願においては、電源生成部Ｕ２が電源電圧を生成してクロック抽出部Ｕ７がアンテナＬ１が受信した交流信号からクロックを生成できれば、音を出力し始める。よって、第三者がアクセスを開始した直後から音を出力することができる。したがって、音を出力するためにＣＰＵが介在する従来技術に比べ、早い時点で、所有者に警告を促すことができる。
尚、電源生成部Ｕ２が電源電圧を生成できない条件下においては、信号処理部Ｕ４も動作することができないため、音出力部Ｕ６が音を出力できなくても問題なく、本願構成によれはアクセスされている時には必ず音を出すことができ、安全性が保たれる。
【実施例２】
【００１９】
図３は、本発明の非接触電子装置に搭載される音出力部Ｕ６の第２の実施例である。クロック生成部Ｕ１１には、電源生成部Ｕ２から電源電圧が供給される。クロック生成部Ｕ１１は、電源電圧が供給されることで自動的に発振動作を開始し、クロック分周部Ｕ８にクロックを供給する。クロック分周部Ｕ８は、クロック抽出部Ｕ７が出力するクロック信号を分周し、音出力素子駆動部Ｕ９に伝達する。音出力素子駆動部Ｕ９は、クロック分周部Ｕ８が出力するクロック信号を、音出力素子Ｕ１０に供給し、音出力素子Ｕ１０が音を外部に出力する。特に限定されないが、音出力素子Ｕ１０は圧電効果を有するプラスチック等で構成される。
【００２０】
このようにすることで、電源生成部Ｕ２が電源電圧を出力すれば、音の出力を開始することが可能になる。したがって、非接触電子装置に搭載されるアンテナＬ１が受信する交流信号が、如何なる周波数であっても、非接触電子装置の所有者に警告を促すことができる。クロック生成部Ｕ１１が出力するクロック信号を一定の周波数に維持することができるため、可聴周波数帯域内の音を出力することが可能になる。これにより、想定以外の周波数をアンテナが受信しても、非接触電子装置の所有者に警告を促すことができる。
【００２１】
以上、本発明者よりなされた発明を実施例に基づき具体的に説明したが、本発明は前記実施例に限定されるものではなく、その要旨を逸脱しない範囲で種々変更可能であることは言うまでもない。
【産業上の利用可能性】
【００２２】
本発明は、ＩＣカード等に適用して好適であり、交通、金融、運送、商業等に広く利用可能である。
【図面の簡単な説明】
【００２３】
【図１】本発明の非接触電子装置の第１の実施例の基本構成図。
【図２】本発明の非接触電子装置に搭載される音出力部の第１の実施例の基本構成図。
【図３】本発明の非接触電子装置に搭載される音出力部の第２の実施例の基本構成図。
【符号の説明】
【００２４】
Ｌ１・・・アンテナ
Ｃ１・・・共振容量
Ｕ１・・・非接触電子装置
Ｕ２・・・電源生成部
Ｕ３・・・送受信部
Ｕ４・・・信号処理部
Ｕ５・・・メモリ部
Ｕ６・・・音出力部
Ｕ７・・・クロック抽出部
Ｕ８・・・クロック分周部
Ｕ９・・・音出力素子駆動部
Ｕ１０・・・音出力素子
Ｕ１１・・・クロック生成部。
【図１】
2006309368.tif 000003
【図２】
2006309368.tif 000004
【図３】
2006309368.tif 000005